(57)【要約】      （修正有）【課題】バッグ本体の容積以上の荷物を保持することができ、家族の移動や長さのある荷物の搬送、通勤通学などにおいても荷物を一纏めにして保持することができるサブバッグを提供する。【解決手段】サブバッグ１は、上部開口２と、上部開口と連通すると共に両側同士で連通する両側開口３，４とを備えたバッグ本体５と、バッグ本体の両側開口３，４付近にそれぞれ上下方向に沿って表裏にそれぞれ設けられると共に開口部を有した紐通し部６と、紐通し部にそれぞれ挿通され紐通し部の開口部より端部７が外方に導出された紐部材８とを有している。【選択図】図１
0003202435.tif 000002
【実用新案登録請求の範囲】
【請求項１】
上部開口と、該上部開口と連通すると共に両側同士で連通する両側開口とを備えたバッグ本体と、該バッグ本体の前記両側開口付近にそれぞれ上下方向に沿って表裏にそれぞれ設けられると共に開口部を有した紐通し部と、該紐通し部にそれぞれ挿通され前記紐通し部の前記開口部より端部が外方に導出された紐部材とを有し、前記紐部材の端部を引張することにより前記両側開口を収縮させて閉塞可能、或いは前記両側開口から外方に露出した荷物を収縮した前記両側開口により保持可能に構成されていることを特徴とするサブバッグ。
【請求項２】
前記サブバッグは、前記紐部材の前記端部に取り付けられ前記紐部材に沿って移動または摺動して所要位置で停止可能なコードストッパーを有している請求項１に記載のサブバッグ。
【請求項３】
前記バッグ本体は、内部に荷物を直接縛り保持するための荷物保持用紐部材を有している請求項１または２に記載のサブバッグ。
【請求項４】
前記バッグ本体は、両側開口付近にそれぞれ前記バッグ本体の幅方向の長さを拡張するための拡張片部を有している請求項１ないし３のいずれかに記載のサブバッグ。
【考案の詳細な説明】
【技術分野】
【０００１】
本考案は、バッグ本体の容積以上に荷物を保持することができるサブバッグに関するものである。
【背景技術】
【０００２】
例えば小さい子供等、家族が多い場合、特に冬場は子供の上着や防寒グッズなど荷物が多量となり、移動中に落としても気づかないこともあり、それらを一纏めにして保持できるサブバッグが嘱望されている。また、ヨガマットやジムタオル、バットなどの長尺状の荷物を一纏めにして保持できるサブバッグが嘱望されている。さらに、通勤、通学においても多量の荷物を一纏めにして保持できるサブバッグが嘱望されている。さらに、用途や形状が異なる様々な荷物を一纏めにして保持できるサブバッグが嘱望されている。
【０００３】
本願考案者は、これらの要望に対応できるサブバッグを想起したものであり、バッグ本体の両側方にそれぞれ開口部を設け、それらの開口部から荷物の一部が露出した状態で保持可能とすることで、バッグ本体の容積以上の荷物を保持できるサブバッグを提案するものである。
【０００４】
なお、本願考案に構造が類似するバッグとして、上端部が開口し、一対の側面部が互いに重ね合わされて形成された袋部を有し、上記袋部の左右方向の両側端部には、上記袋部の両側端部を収縮させて上記袋部の形状を変化しうる収縮構造が設けられ、上記収縮構造には、上記袋部の収縮状態を維持しうる固定部材と、上記袋部の左右の両側端部に設けられた紐通し部と、上記紐通し部に挿通され引張操作により上記紐通し部を収縮して上記袋部の形状を変化しうるように形成された紐状部材を有したバッグが提案されている（実用新案登録第３１２２２７７号公報）。しかし、このバッグは両側方が共に閉塞しているため、バッグ本体の容積以上に荷物を保持できるものではなかった。
【先行技術文献】
【特許文献】
【０００５】
【特許文献１】実用新案登録第３１２２２７７号公報
【考案の概要】
【考案が解決しようとする課題】
【０００６】
すなわち、本考案の課題は、バッグ本体の容積以上の荷物を保持することができ、家族の移動や長尺状の荷物の搬送、通勤通学などにおいても荷物を一纏めにして保持することができるサブバッグを提供することにある。
【課題を解決するための手段】
【０００７】
上記課題を解決するものは、上部開口と、該上部開口と連通すると共に両側同士で連通する両側開口とを備えたバッグ本体と、該バッグ本体の前記両側開口付近にそれぞれ上下方向に沿って表裏にそれぞれ設けられると共に開口部を有した紐通し部と、該紐通し部にそれぞれ挿通され前記紐通し部の前記開口部より端部が外方に導出された紐部材とを有し、前記紐部材の端部を引張することにより前記両側開口を収縮させて閉塞可能、或いは前記両側開口から外方に露出した荷物を収縮した前記両側開口により保持可能に構成されていることを特徴とするサブバッグである（請求項１）。
【０００８】
前記サブバッグは、前記紐部材の前記端部に取り付けられ前記紐部材に沿って移動または摺動して所要位置で停止可能なコードストッパーを有していることが好ましい（請求項２）。前記バッグ本体は、内部に荷物を直接縛り保持するための荷物保持用紐部材を有していることが好ましい（請求項３）。前記バッグ本体は、両側開口付近にそれぞれ前記バッグ本体の幅方向の長さを拡張するための拡張片部を有していてもよい（請求項４）。
【考案の効果】
【０００９】
請求項１に記載したサブバッグによれば、バッグ本体の容積以上の荷物を保持することができ、家族の移動や長尺状の荷物の搬送、通勤通学などにおいても荷物を一纏めにして保持することができる。
請求項２に記載したサブバッグによれば、上記請求項１の効果に加え、紐通し部および両側開口の収縮状態を維持できる。
請求項３に記載したサブバッグによれば、上記請求項１または２の効果に加え、バッグ本体内部に設けられた荷物保持用紐部材により荷物を直接縛ることで、より確実に荷物を保持できる。
請求項４に記載したサブバッグによれば、上記請求項１ないし３の効果に加え、バッグ本体の装飾性を高めると共に、両端開口から露出した荷物の一部を被覆することができる。
【図面の簡単な説明】
【００１０】
【図１】本考案のサブバッグの一実施例の正面図である。
【図２】図１に示したサブバッグの右側背面側から観た斜視図である。
【図３】図１に示したサブバッグの背面縮小概略図である。
【図４】図１に示したサブバッグの展開縮小概略図である。
【図５】図１に示したサブバッグの作用を説明するための斜視図である。
【図６】図１に示したサブバッグの作用を説明するための斜視図である。
【図７】図１に示したサブバッグの作用を説明するための斜視図である。
【図８】図１に示したサブバッグの作用を説明するための斜視図である。
【図９】図１に示したサブバッグの作用を説明するための斜視図である。
【図１０】図１に示したサブバッグの作用を説明するための斜視図である。
【図１１】本考案のサブバッグの他の実施例の正面図である。
【図１２】図１１に示したサブバッグの作用を説明するための斜視図である。
【図１３】本考案のサブバッグの他の実施例の斜視図である。
【考案を実施するための形態】
【００１１】
本考案では、上部開口２と、上部開口２と連通すると共に両側同士で連通する両側開口３，４とを備えたバッグ本体５と、バッグ本体５の両側開口３，４付近にそれぞれ上下方向に沿って表裏にそれぞれ設けられると共に開口部６ａを有した紐通し部６と、紐通し部６にそれぞれ挿通され紐通し部６の開口部６ａより端部７が外方に導出された紐部材８とを有し、紐部材の端部７を引張することにより両側開口３，４を収縮させて、両側開口３，４から外方に露出した荷物を収縮した両側開口３，４により保持できるため、バッグ本体５の容積以上に荷物を保持することができ、家族の移動や長尺状の荷物の搬送、通勤通学などにおいても荷物を一纏めにして保持することができるサブバッグを実現した。
【実施例１】
【００１２】
本考案のサブバッグを図１ないし図１０に示した一実施例を用いて説明する。
この実施例のサブバッグ１は、図１に示すように、上部開口２と、上部開口２と連通すると共に両側同士で連通する両側開口３，４とを備えたバッグ本体５と、バッグ本体５の両側開口３，４付近にそれぞれ上下方向に沿って表裏にそれぞれ設けられると共に開口部６ａを有した紐通し部６と、紐通し部６にそれぞれ挿通され紐通し部６の開口部６ａより端部７が外方に導出された紐部材８と、紐部材８の端部７に取り付けられ紐部材８に沿って摺動して所要位置で停止可能なコードストッパー９と、バッグ本体５内部に設けられ荷物を直接縛り保持するための荷物保持用紐部材１０と、バッグ本体５の上部に設けられた把持部１１，１２とを有している。以下、各構成について順次詳述する。
【００１３】
バッグ本体５は、荷物を収納または保持するためのものであり、上部開口２と、上部開口２と連通すると共に両側同士で連通する両側開口３，４とを備えている。
【００１４】
この実施例のバッグ本体５は、図１または図３に示すように、正面視または背面視台形のシート材にて構成されている。具体的には、バッグ本体５は、図４に示すように、台形形状の正面部５ａと同一形状の背面部５ｂが下端辺にて折曲されて形成されている。ただし、本考案のバッグ本体は正面視台形形状に限定されるものではなく、内部に荷物を収納または保持できる形状のものであればどのような形状のものでもよく、例えば正面視略正方形、略長方形、円形あるいは楕円形などのものも本考案の範疇に包含される。
【００１５】
バッグ本体５内は、上部開口２、両側開口３，４それぞれが相互に連通して一つの収納空間を形成しており、上部開口２と両側開口３，４のいずれからも荷物を挿入することができるように構成されている。また、図２または図７に示すように、両側開口３，４が設けられていることにより、図６または図８に示すように、荷物の一部を両側開口３，４から外方に露出させた状態で保持することができ、これにより、バッグ本体の容積以上の荷物を保持することができるよう構成されている。
【００１６】
バッグ本体５内に収納または保持可能な荷物としては、どのようなものでもよいが、用途に応じて、例えば衣服類、防寒グッズ、履物、ヨガマット、ジムタオル、バット、帽子、マフラー、ボール、ラケット、弁当、グローブ、剣道用防具、ぬいぐるみなどが挙げられる。
【００１７】
バッグ本体の形成材料としては、荷物を一纏めにして収納または保持可能なものであればどのようなものでもよいが、例えば天然繊維製布、合成樹脂製シート材などが好適に使用できる。
【００１８】
紐通し部６は、内部に紐部材８を配する部位であり、図１または図４に示すように、バッグ本体５の両側開口３，４付近にそれぞれ上下方向に沿って表裏（正面部５ａ，背面部５ｂ）それぞれに設けられている。
【００１９】
この実施例の紐通し部６は、バッグ本体５の両側端辺を幅方向内側に折り返して重ね合わせ、両側端辺を縫合することにより、上下方向に延在して紐部材８を挿通可能な略筒状部に形成されている。
【００２０】
紐通し部６には開口部６ａが設けられており、この開口部６ａから紐部材８の端部７が外方に導出可能に構成されている。なお、この実施例の開口部６ａは、紐通し部６の上端付近に設けられているが、これに限定されるものではなく、例えば紐通し部６の下端付近に設けられたものも本考案の範疇に包含される。また、この実施例の紐通し部６は表裏（正面部５ａ，背面部５ｂ）に設けられた紐通し部６が下端で連通しており、両端付近にそれぞれ設けられた紐通し部６に、それぞれ１本の紐部材８が挿通されているが、これに限定されるものではなく、例えば紐通し部６が下端で閉塞しており、下端で一端側が固定された紐部材８が表裏（正面部５ａ，背面部５ｂ）に各１本挿通されたものなども本考案の範疇に包含される。
【００２１】
紐部材８は、図５，図６，図８，図９に示すように、その引張操作により紐通し部６および両側開口３，４を収縮させて両側開口３，４を閉塞（図９参照）、或いはその引張操作により紐通し部６および両側開口３，４を収縮させて前記両側開口から外方に露出した荷物を保持（図６参照）するためのものであり、紐通し部６内に挿通されると共に、その端部７が紐通し部６の開口部６ａより外方に導出されている。
【００２２】
この実施例の紐部材８は、天然繊維製紐にて形成されているが、これに限定されるものではなく、引張操作や荷物の保持に際して破断することのない強度を有するものであればどのようなものでもよく、例えば合成樹脂製紐などでもよい。
【００２３】
コードストッパー９は、紐通し部６および両側開口３，４の収縮状態を維持するためのものであり、紐部材８の端部７に取り付けられ紐部材８に沿って摺動して所要位置で停止可能に構成されている。
【００２４】
この実施例のコードストッパー９は略球状に形成され、両側面に貫通する係止孔（図示しない）を有している。この係止孔内は略への字状に屈曲しており、内部に挿通された紐部材８がそれ内面に接触すると適度な摩擦を生じさせ、その摩擦力により、コードストッパー９が紐部材８の任意の位置に停止するように構成されている。そして、この紐部材８の引張操作により、紐通し部６および両側開口３，４を収縮させた状態（図５，図６，図８，図９の状態）で、コードストッパー９を紐部材８に沿って摺動させ、収納または保持する荷物により異なる所要位置にて停止させ、紐通し部６および両側開口３，４の収縮状態を維持することができる。その後、紐通し部６および両側開口３，４の収縮状態を解除する場合は、コードストッパー９を紐部材８に沿って逆方向に摺動させ停止させて、紐通し部６および両側開口３，４を伸長することにより、元の形状（図１の状態）に復元できるよう構成されている。
【００２５】
なお、この実施例のコードストッパー９は樹脂製のものであるが、これに限定されるものではなく、例えば木製或いは金属製のものなどでもよい。
【００２６】
荷物保持用紐部材１０は、より確実に荷物を保持するためのものであり、図１または図４に示すように、バッグ本体５内の底部中央に一部が固定された紐部材にて構成されている。そして、この荷物保持用紐部材１０により、荷物を直接縛ることで、両側開口３，４から荷物の一部が露出する場合でも、より確実に荷物をバッグ本体５内部でも保持できるよう構成されている。
【００２７】
把持部１１，１２は、サブバッグ１を手で把持したり、腕や肩を挿入して腕掛けまたは肩掛けするためのものであり、図１、図２または図４に示すように、バッグ本体５（正面部５ａ，背面部５ｂ）の上部にそれぞれ設けられている。
【００２８】
また、バッグ本体５を形成する正面部５ａおよび背面部５ｂの上端付近（上部開口２を構成する部位付近）の内面にはそれぞれ、図４に示すように、正面部５ａおよび背面部５ｂの上端付近を密着させて上部開口２を閉じるための面ファスナー１６が水平方向に延在するように取り付けられている。ただし、バッグ本体を形成する正面部および背面部の上端付近を密着させる部材は面ファスナーに限定されるものではなく、バッグ本体の上端付近を閉じることができるものであればどのようなものでもよく、例えばボタン等であってもよい。
【００２９】
さらに、バッグ本体５の底部外面には、図１に示すように、止め紐１７が取り付けられている。この止め紐１７は、図１０に示すように、サブバッグ１のバッグ本体５を把持部１１，１２と共に折り畳んでコンパクトにした状態を維持するためのものである。この実施例の止め紐１７は一対の帯状体からなり、把持部１１，１２と共に折り畳んだバッグ本体５に巻回した後、その先端にそれぞれ設けられた面ファスナー１６同士を接合させることにより、コンパクトにした状態のサブバッグ１を維持できるように構成されている。
【００３０】
つぎに、本考案のサブバッグ１の使用方法について説明する。
サブバッグ１を使用する際には、まず、上部開口２または両側開口３，４から荷物を挿入する。荷物が長さ的にまたは量的にバッグ本体５の容積を超える場合は、荷物の一部を両側開口３，４から露出させた状態でバッグ本体５内に挿入する。つぎに、荷物保持用紐部材１０によって荷物を縛ってバッグ本体５内において保持させる。さらに、紐通し部６の開口部６ａ付近を押圧しつつ、図６または図８に示すように、紐部材８の端部７を引っ張って両側開口３，４を収縮させる。これに伴って、荷物５０または５１が収縮した両側開口３，４によって保持される。さらに、コードストッパー９を紐部材８に沿って摺動させ、収納または保持する荷物により異なる所要位置（紐通し部６の開口部６ａ付近）で停止させることにより、紐通し部６および両側開口３，４の収縮状態を維持させる。そして、この状態で把持部１１，１２を把持して移動する。
【００３１】
その後、荷物をバッグ本体５内から取り出す場合は、両側開口３，４の収縮状態を解除させる。具体的には、コードストッパー９を紐部材８に沿って逆方向に摺動した後、停止させ、紐通し部６および両側開口３，４を伸長させることにより、荷物をバッグ本体５内から取り出すことができる。
【００３２】
さらに、図１１または図１２に示した本考案のサブバッグの他の実施例について説明する。
この実施例のサブバッグ２０と前述したサブバッグ１との相違は、サブバッグ２０が、バッグ本体の両側開口付近にそれぞれバッグ本体の幅方向の長さを拡張するための拡張片部を有している点のみであり他は同様である。サブバッグ１と同一構成部分については同一符号を付し説明を省略する。
【００３３】
具体的には、サブバッグ２０のバッグ本体５の両側開口３，４付近には、両側開口３，４を構成する周縁部に沿って、バッグ本体５の幅方向の長さを拡張する拡張片部２１，２２が縫製されている。バッグ本体５にこのような拡張片部２１，２２を設けることにより、両側開口３，４を収縮させた際に、図１２に示すように、拡張片部２１，２２がフリル状となってバッグ本体５の装飾性を高めると共に、両側開口３，４から露出した荷物の一部を被覆することができる。
【００３４】
さらに、図１３に示した本考案のサブバッグの他の実施例について説明する。
この実施例のサブバッグ３０と前述したサブバッグ１との相違は、紐部材の端部７にコードストッパーが取り付けられていない点と、バック本体５の表裏からそれぞれ導出された紐部材の端部７同士がコードストッパーにより連結されていない点のみであり他は同様である。サブバッグ１と同一構成部分については同一符号を付し説明を省略する。
【００３５】
具体的には、このサブバッグ３０は、バック本体５の表裏の紐部材の端部７同士を所要位置で縛って連結するタイプのものであり、これにより、例えば長尺状の荷物を保持する場合、荷物を一側方から両側開口３，４に挿通させるのではなく、バッグ本体５を荷物の上方から掛けて、或いは荷物の下方から被覆した後、紐部材の端部７同士を所要位置で縛ればよく、大型で移動が困難な荷物に対してもサブバッグが活用しやすくなるように構成されている。このように、本考案のサブバッグには、コードストッパーなどの固定部材を有しないものも包含される。
【符号の説明】
【００３６】
１，２０    サブバッグ
２          上部開口
３，４      両側開口
５          バッグ本体
６          紐通し部
６ａ        開口部
７          紐部材の端部
８          紐部材
９          コードストッパー
１０        荷物保持用紐部材
１１，１２  把持部
１３        折り畳み傘収納用ポケット
１４，１５  ポケット
１６        面ファスナー
１７        止め紐
２１，２２  拡張片部
【図１】
0003202435.tif 000003
【図２】
0003202435.tif 000004
【図３】
0003202435.tif 000005
【図４】
0003202435.tif 000006
【図５】
0003202435.tif 000007
【図６】
0003202435.tif 000008
【図７】
0003202435.tif 000009
【図８】
0003202435.tif 000010
【図９】
0003202435.tif 000011
【図１０】
0003202435.tif 000012
【図１１】
0003202435.tif 000013
【図１２】
0003202435.tif 000014
【図１３】
0003202435.tif 000015